(57)【特許請求の範囲】
【請求項１】
スイッチギヤであって、
筐体の中央に位置する母線区画部と、
前記母線区画部の下方に位置する操作機構区画部と、
前記母線区画部及び前記操作機構区画部の一方の横側に位置するケーブル区画部と、
前記母線区画部及び前記操作機構区画部の他方の横側に位置する低電圧制御区画部とを備え、
前記母線区画部と前記操作機構区画部と前記ケーブル区画部と前記低電圧制御区画部とは、接地金属板で相互に区画され、
前記スイッチギヤは、
前記母線区画部内に設置され、母線接続用ブッシング及びケーブル接続用ブッシングを有し、遮断部とケーブル接続用導体が樹脂によって一体モールドされたモールドユニットと、
前記操作機構区画部内に設置され、前記モールドユニットを開閉操作する操作器及び操作機構部と、
前記ケーブル区画部上方又は下方から前記ケーブル区画部内に導入される主回路ケーブル及び計測用ケーブルと、
前記ケーブル区画部に導入された前記ケーブル接続用ブッシングに回転可能に設けられ、各々同形状の接続端子を有する第１のアダプタ及び第２のアダプタと、を備え、
前記主回路ケーブルは、前記第１のアダプタにより前記ケーブル接続用ブッシングに接続され、
前記計測用ケーブルは、一端が、前記主回路ケーブルと同形状の接続端子を有し、前記第２のアダプタにより前記ケーブル接続用ブッシングに接続され、他端が計器用装置に接続され、前記主回路ケーブルの引き込み方向と逆方向に前記ケーブル接続用ブッシングから引き延ばされるようにしたスイッチギヤであって、
前記主回路ケーブルは、前記ケーブル接続用ブッシングから垂直下方向に伸びるように配置され、前記第１のアダプタに接続され、
前記計測用ケーブルは、前記ケーブル接続用ブッシングから前記主回路ケーブルと反対側の垂直上方向に伸びるように配置され、前記第１のアダプタと同じ構造の前記第２のアダプタに接続され、
前記計器用装置は、前記計測用ケーブルに接続され、前記筐体の天板上部に配置されることを特徴とするスイッチギヤ。
【請求項２】
スイッチギヤであって、
筐体の中央に位置する母線区画部と、
前記母線区画部の下方に位置する操作機構区画部と、
前記母線区画部及び前記操作機構区画部の一方の横側に位置するケーブル区画部と、
前記母線区画部及び前記操作機構区画部の他方の横側に位置する低電圧制御区画部とを備え、
前記母線区画部と前記操作機構区画部と前記ケーブル区画部と前記低電圧制御区画部とは、接地金属板で相互に区画され、
前記スイッチギヤは、
前記母線区画部内に設置され、母線接続用ブッシング及びケーブル接続用ブッシングを有し、遮断部とケーブル接続用導体が樹脂によって一体モールドされたモールドユニットと、
前記操作機構区画部内に設置され、前記モールドユニットを開閉操作する操作器及び操作機構部と、
前記ケーブル区画部上方又は下方から前記ケーブル区画部内に導入される主回路ケーブル及び計測用ケーブルと、
前記ケーブル区画部に導入された前記ケーブル接続用ブッシングに回転可能に設けられ、各々同形状の接続端子を有する第１のアダプタ及び第２のアダプタと、を備え、
前記主回路ケーブルは、前記第１のアダプタにより前記ケーブル接続用ブッシングに接続され、
前記計測用ケーブルは、一端が、前記主回路ケーブルと同形状の接続端子を有し、前記第２のアダプタにより前記ケーブル接続用ブッシングに接続され、他端が計器用装置に接続され、前記主回路ケーブルの引き込み方向と逆方向に前記ケーブル接続用ブッシングから引き延ばされるようにしたスイッチギヤであって、
前記主回路ケーブルは、前記ケーブル接続用ブッシングから垂直上方向に伸びるように配置され、前記第１のアダプタに接続され、
前記計測用ケーブルは、前記ケーブル接続用ブッシングから前記主回路ケーブルと反対側の垂直下方向に伸びるように配置され、前記第１のアダプタと同じ構造の前記第２のアダプタに接続され、
前記計器用装置は、前記計測用ケーブルに接続され、前記筐体の内部の下側の据付面又は据付面から上方へ浮かせた位置に配置されることを特徴とするスイッチギヤ。
【請求項３】
スイッチギヤであって、
筐体の中央に位置する母線区画部と、
前記母線区画部の下方に位置する操作機構区画部と、
前記母線区画部及び前記操作機構区画部の一方の横側に位置するケーブル区画部と、
前記母線区画部及び前記操作機構区画部の他方の横側に位置する低電圧制御区画部とを備え、
前記母線区画部と前記操作機構区画部と前記ケーブル区画部と前記低電圧制御区画部とは、接地金属板で相互に区画され、
前記スイッチギヤは、
前記母線区画部内に設置され、母線接続用ブッシング及びケーブル接続用ブッシングを有し、遮断部とケーブル接続用導体が樹脂によって一体モールドされたモールドユニットと、
前記操作機構区画部内に設置され、前記モールドユニットを開閉操作する操作器及び操作機構部と、
前記ケーブル区画部上方又は下方から前記ケーブル区画部内に導入される主回路ケーブル及び計測用ケーブルと、
前記ケーブル区画部に導入された前記ケーブル接続用ブッシングに回転可能に設けられ、各々同形状の接続端子を有する第１のアダプタ及び第２のアダプタと、を備え、
前記主回路ケーブルは、前記第１のアダプタにより前記ケーブル接続用ブッシングに接続され、
前記計測用ケーブルは、一端が、前記主回路ケーブルと同形状の接続端子を有し、前記第２のアダプタにより前記ケーブル接続用ブッシングに接続され、他端が計器用装置に接続され、前記主回路ケーブルの引き込み方向と逆方向に前記ケーブル接続用ブッシングから引き延ばされるようにしたスイッチギヤであって、
前記計器用装置を前記筐体の天板上部に配置した場合と、前記筐体の内部の下面に配置した場合で、前記計測用ケーブルの長さが同一となるように、前記筐体の高さ及び／又は前記モールドユニットの高さ位置が定められたことを特徴とするスイッチギヤ。
【請求項４】
スイッチギヤであって、
筐体の中央に位置する母線区画部と、
前記母線区画部の下方に位置する操作機構区画部と、
前記母線区画部及び前記操作機構区画部の一方の横側に位置するケーブル区画部と、
前記母線区画部及び前記操作機構区画部の他方の横側に位置する低電圧制御区画部とを備え、
前記母線区画部と前記操作機構区画部と前記ケーブル区画部と前記低電圧制御区画部とは、接地金属板で相互に区画され、
前記スイッチギヤは、
前記母線区画部内に設置され、母線接続用ブッシング及びケーブル接続用ブッシングを有し、遮断部とケーブル接続用導体が樹脂によって一体モールドされたモールドユニットと、
前記操作機構区画部内に設置され、前記モールドユニットを開閉操作する操作器及び操作機構部と、
前記ケーブル区画部上方又は下方から前記ケーブル区画部内に導入される主回路ケーブル及び計測用ケーブルと、
前記ケーブル区画部に導入された前記ケーブル接続用ブッシングに回転可能に設けられ、各々同形状の接続端子を有する第１のアダプタ及び第２のアダプタと、を備え、
前記主回路ケーブルは、前記第１のアダプタにより前記ケーブル接続用ブッシングに接続され、
前記計測用ケーブルは、一端が、前記主回路ケーブルと同形状の接続端子を有し、前記第２のアダプタにより前記ケーブル接続用ブッシングに接続され、他端が計器用装置に接続され、前記主回路ケーブルの引き込み方向と逆方向に前記ケーブル接続用ブッシングから引き延ばされるようにしたスイッチギヤであって、
前記計測用ケーブルが垂直上方向に伸びるように前記ケーブル接続用ブッシングに接続される場合、前記計器用装置が前記筐体の天板上部に配置され、一方、
前記計測用ケーブルが垂直下方向に伸びるように前記ケーブル接続用ブッシングに接続される場合、前記計器用装置が、前記筐体の内部の据付面又は据付面から上方へ浮かせた予め定められた位置に配置されるように、
前記計測用ケーブルの長さ、前記筐体の高さ、前記モールドユニットの前記ケーブル接続用ブッシングの高さ位置、前記計器用装置の高さ位置のいずれかひとつ又は複数が予め定められることを特徴とするスイッチギヤ。
【請求項５】
請求項１〜４の何れか一項に記載のスイッチギヤにおいて、
前記第１のアダプタは、前記第２のアダプタより前記モールドユニットから遠い位置に設けられ、
（ｉ）  前記主回路ケーブルが、前記第１のアダプタにより前記ケーブル接続用ブッシングに接続され、前記計測用ケーブルが前記第２のアダプタにより前記ケーブル接続用ブッシングに接続されること、
又は、
（ｉｉ）  前記主回路ケーブルが、前記第１のアダプタに代えて前記第２のアダプタにより前記ケーブル接続用ブッシングに接続され、前記計測用ケーブルが前記第２のアダプタに代えて前記第１のアダプタにより前記ケーブル接続用ブッシングに接続されること、
のいずれかを選択することで、前記主回路ケーブルおよび前記計測用ケーブルの取り付け作業順序に互換性をもたせることができるようにした
ことを特徴とするスイッチギヤ。
【請求項６】
配電システムであって、
スイッチギヤを備え、
前記スイッチギヤは、請求項１〜５の何れか一項に記載のスイッチギヤであることを特徴とした配電システム。
【請求項７】
請求項６に記載の配電システムにおいて、
前記スイッチギヤを複数備え、
母線により、各々の前記スイッチギヤの前記母線接続用ブッシング同士を接続したことを特徴とした配電システム。
【請求項８】
請求項７に記載の配電システムにおいて、
前記母線は、母線導体が固体絶縁物によって絶縁され、固体絶縁物の外表面には接地層が設けられた固体絶縁母線であり、
前記主回路ケーブル及び前記計測用ケーブルは、外表面に接地層を設けたケーブルであることを特徴とした配電システム。
【発明の詳細な説明】
【技術分野】
【０００１】
本発明は、スイッチギヤ及び配電システムに係り、特に、遮断器、断路器、接地開閉器、母線、主回路ケーブル、計器用変圧器およびたがいの連結部材を固体絶縁方式によってモジュール化し、現地における組立作業性および据付性を向上させたスイッチギヤ、及び、スイッチギヤを備えた配電システムに関する。
【背景技術】
【０００２】
近年、高い信頼性と省スペース化を実現する受配電盤として、ガス絶縁や固体絶縁を利用したスイッチギヤが注目されている。一般的なスイッチギヤは、遮断器、断路器、接地開閉器、母線、主回路ケーブル、計器用変圧器、変流器等を備える。
特開２００８−１０４３３８号公報（特許文献１）では、遮断器、断路器、接地開閉器を共通の固体で絶縁し、各々固体絶縁された母線、主回路ケーブル、計器用変圧器が接続されたスイッチギヤを実現している。
【先行技術文献】
【特許文献】
【０００３】
【特許文献１】特開２００８−１０４３３８号公報
【発明の概要】
【発明が解決しようとする課題】
【０００４】
一般的に、スイッチギヤが配置される電気室では、受電用または配電用の主回路ケーブルが盤天井部または底面部から挿入され、受電側の上流設備と配電側の下流設備とが接続される。
スイッチギヤに接続される主回路ケーブルは、据付場所や使用者の要望により引き込み方向が異なる。一般的に計器用変圧器は主回路ケーブルと並列に配置されるため、主回路ケーブルの引き込み方向が限定されることが想定される。よって、同一定格のスイッチギヤであっても、据付場所や使用者の要望に応じるために、盤天井部からケーブルを引き込むタイプと底面部から引き込むタイプとで、計器用変圧器の配置が異なる２機種を用意する必要がある。また、母線室の内部アーク故障を想定した放圧機構を有するスイッチギヤでは、放圧時に主回路ケーブルを損傷させないため、主回路ケーブルの引き込み方向は、放圧機構に干渉しない位置に限定される。
【０００５】
本発明は、以上の点に鑑み、主回路ケーブル引き込み口の配置に汎用性のあるスイッチギヤ及び配電システムを提供することを目的とする。
【課題を解決するための手段】
【０００６】
本発明の第１の解決手段によると、
スイッチギヤであって、
筐体の中央に位置する母線区画部と、
前記母線区画部の下方に位置する操作機構区画部と、
前記母線区画部及び前記操作機構区画部の一方の横側に位置するケーブル区画部と、
前記母線区画部及び前記操作機構区画部の他方の横側に位置する低電圧制御区画部と
を備え、
前記母線区画部と前記操作機構区画部と前記ケーブル区画部と前記低電圧制御区画部とは、接地金属板で相互に区画され、
前記スイッチギヤは、
前記母線区画部内に設置され、母線接続用ブッシング及びケーブル接続用ブッシングを有し、遮断部とケーブル接続用導体が樹脂によって一体モールドされたモールドユニットと、
前記操作機構区画部内に設置され、前記モールドユニットを開閉操作する操作器及び操作機構部と、
前記ケーブル区画部上方又は下方から前記ケーブル区画部内に導入される主回路ケーブル及び計測用ケーブルと、
前記ケーブル区画部に導入された前記ケーブル接続用ブッシングに回転可能に設けられ、各々同形状の接続端子を有する第１のアダプタ及び第２のアダプタと、
を備え、
前記主回路ケーブルは、前記第１のアダプタにより前記ケーブル接続用ブッシングに接続され、
前記計測用ケーブルは、一端が、前記主回路ケーブルと同形状の接続端子を有し、前記第２のアダプタにより前記ケーブル接続用ブッシングに接続され、他端が計器用装置に接続され、前記主回路ケーブルの引き込み方向と逆方向に前記ケーブル接続用ブッシングから引き延ばされる
ことを特徴とするスイッチギヤが提供される。
【０００７】
本発明の第２の解決手段によると、
配電システムであって、
スイッチギヤを備え、
前記スイッチギヤは、
筐体の中央に位置する母線区画部と、
前記母線区画部の下方に位置する操作機構区画部と、
前記母線区画部及び前記操作機構区画部の一方の横側に位置するケーブル区画部と、
前記母線区画部及び前記操作機構区画部の他方の横側に位置する低電圧制御区画部と
を備え、
前記母線区画部と前記操作機構区画部と前記ケーブル区画部と前記低電圧制御区画部とは、接地金属板で相互に区画され、
前記スイッチギヤは、
前記母線区画部内に設置され、母線接続用ブッシング及びケーブル接続用ブッシングを有し、遮断部とケーブル接続用導体が樹脂によって一体モールドされたモールドユニットと、
前記操作機構区画部内に設置され、前記モールドユニットを開閉操作する操作器及び操作機構部と、
前記ケーブル区画部上方又は下方から前記ケーブル区画部内に導入される主回路ケーブル及び計測用ケーブルと、
前記ケーブル区画部に導入された前記ケーブル接続用ブッシングに回転可能に設けられ、各々同形状の接続端子を有する第１のアダプタ及び第２のアダプタと、
を備え、
前記主回路ケーブルは、前記第１のアダプタにより前記ケーブル接続用ブッシングに接続され、
前記計測用ケーブルは、一端が、前記主回路ケーブルと同形状の接続端子を有し、前記第２のアダプタにより前記ケーブル接続用ブッシングに接続され、他端が計器用装置に接続され、前記主回路ケーブルの引き込み方向と逆方向に前記ケーブル接続用ブッシングから引き延ばされる
ことを特徴とした配電システムが提供される。
【発明の効果】
【０００８】
本発明によれば、主回路ケーブル引き込み口の配置に汎用性のあるスイッチギヤ及び配電システムを提供することができる。
【図面の簡単な説明】
【０００９】
【図１】実施例１のスイッチギヤにおける主要機器の構成図である。
【図２】実施例１のモールドユニットにおける主要部品の構成図である。
【図３】実施例２のスイッチギヤにおける主要機器の構成図である。
【図４】実施例３のスイッチギヤにおける主要機器の構成図（１）である。
【図５】実施例３のスイッチギヤにおける主要機器の構成図（２）である。
【図６】実施例４のスイッチギヤにおける主要機器の構成図である。
【図７】実施例５のスイッチギヤにおける主要機器の構成図である。
【図８】固体絶縁母線の概略図である。
【発明を実施するための形態】
【００１０】
以下、本発明の実施例について図面を用いて説明する。
【実施例１】
【００１１】
図１は、実施例１のスイッチギヤにおける主要機器の構成図である。本実施例１では、計器用変圧器１８を備えたスイッチギヤ１０について説明する。
【００１２】
スイッチギヤ１０は、内部に配置された接地金属板２ａ、２ｂ、２ｃ、２ｄ、２ｅにより母線区画部１ａ、操作機構区画部１ｂ、ケーブル区画部１ｃ、低電圧制御区画部１ｄ等にそれぞれ区画されている。また、スイッチギヤ１０の前面側（図１の右側）には、正面側の扉が、スイッチギヤ１０の後面側（図１の左側）には、背面側の扉がそれぞれ設けられている。
母線区画部１ａは、スイッチギヤ１０の奥行き方向（図１の左右方向）の中央部寄りで、かつ、上部側に配置される。操作機構区画部１ｂは、母線区画部１ａの下方に配置され、ケーブル区画部１ｃは、スイッチギヤ１０の背面側（図１の左側）にそれぞれ配置され、また、低電圧制御区画部１ｄは、スイッチギヤ１０の前面側（図１の右側）に配置される。
母線区画部１ａが形成する母線室２０内には、モールドユニット１２、固体絶縁母線１６が配置されている。
操作機構区画部１ｂ内には、操作器１１、操作機構部１３が配置される。
ケーブル区画部１ｃには、主回路ケーブル１７、計器用変圧器用ケーブル１９等が配置され、モールドユニット１２からケーブル接続用ブッシング１５が導入される。
低電圧制御区画部１ｄには、低電圧制御部が配置される。正面側の扉には、地絡、短絡事故、コンデンサ異常、真空圧異常等を表示する警報表示部、各種の操作スイッチ部、及び緊急用手動ハンドル操作部等が配置される。
【００１３】
開閉器ユニットは、３つのモールドユニット１２と操作機構部１３、操作器１１を備える。モールドユニット１２において、操作機構部１３と母線接続用ブッシング１４は１８０度異なる方向に配置され、母線接続用ブッシング１４とケーブル接続用ブッシング１５は９０度異なる方向に配置される。なお、計器用変圧器１８及び計器用変圧器用ケーブル１９に限らず、これ以外にも適宜の計器用装置及び計測用ケーブルを用いてもよい。
【００１４】
図２は、モールドユニット１２の構成図である。遮断部２１と断路部２２と接地開閉部２３と母線接続用導体２４とケーブル接続用導体２５がエポキシ樹脂等の樹脂２６によって一体注型され、遮断部２１及び断路部２２と、接地開閉部２３の可動部は、図１の操作機構部１３とそれぞれ接続される。
【００１５】
図８に、固体絶縁母線の概略図を示す。
母線接続用ブッシング１４には、母線導体３３が固体絶縁物３４によって絶縁された固体絶縁母線１６が接続される。固体絶縁物３４の外表面には接地層３５が設けられている。
【００１６】
ケーブル接続用ブッシング１５には、外表面に接地層を設けた主回路ケーブル１７が主回路ケーブルアダプタ３１を介して接続される。計器用変圧器１８は、外表面に接地層を設けた計器用変圧器用ケーブル１９により計器用変圧器用ケーブルアダプタ３２を介してケーブル接続用ブッシング１５に接続される。
主回路ケーブル１７は、ケーブル接続用ブッシング１５から操作機構部１３の方向（垂直下方向）に伸びるように接続され、計器用変圧器１８は、ケーブル接続用ブッシング１５から操作機構部１３と反対側の方向（垂直上方向）に配置される。主回路ケーブル１７等の取り付け作業取り外し作業等の作業性を考慮し、計器用変圧器１８は、スイッチギヤ１０の内部の上部ではなく、スイッチギヤ１０の外部の例えば天板上部に配置される。
【００１７】
３つのモールドユニット１２に対して３つの固体絶縁母線１６が接続されるが、各固体絶縁母線１６の外表面には接地層３５がそれぞれ設けられている。各固体絶縁母線１６の間に接地層が配置されるため、母線室２０で発生するアーク事故に対して、３相短絡よりも単相地絡が優先される。単相地絡が優先されることにより、アーク事故のエネルギーを抑えることができる。アーク事故のエネルギーを抑えることにより、母線室２０で発生した事故を母線室２０の中に留めることができるため、母線室２０外部への放圧機構が不要となる。母線室２０外部への放圧機構がないため、母線室２０側へ主回路ケーブル１７または計器用変圧器用ケーブル１９を比較的簡単に引き延ばすことができる。
主回路ケーブル１７と計器用変圧器用ケーブル１９を同一のケーブル接続用ブッシング１５の反対側にそれぞれ接続することで、ケーブル接続用ブッシング１５に対して、主回路ケーブル１７と計器用変圧器用ケーブル１９を同時に回転させても互いに干渉しない構造となる。これにより、同一構造のスイッチギヤに対して、主回路ケーブル１７および計器用変圧器１８の配置に互換性を持たせることができる。
【００１８】
なお、主回路ケーブルアダプタ３１と計器用変圧器用ケーブルアダプタ３２は同一構造の部品とすることができ、これによりコストの削減等を図ることができる。また、主回路ケーブルアダプタ３１と計器用変圧器用ケーブルアダプタ３２を、主回路ケーブル１７と計器用変圧器用ケーブル１９が反対方向に接続されるように一体構造としてもよい。
【実施例２】
【００１９】
図３は、実施例２のスイッチギヤにおける主要機器の構成図である。
本実施例２では、図３に示すスイッチギヤ１０３について説明する。スイッチギヤ１０３は、実施例１に示したスイッチギヤ１０の主回路ケーブル１７および計器用変圧器１８の配置を１８０度入れ替えたものである。主回路ケーブル１７３は、ケーブル接続用ブッシング１５から主回路ケーブルアダプタ３１を介して操作機構部１３と反対側の方向（垂直上方向）に伸びるように接続され、計器用変圧器１８は、計器用変圧器用ケーブル１９３と計器用変圧器用ケーブルアダプタ３２を介してケーブル接続用ブッシング１５から操作機構部１３側の方向（垂直下方向）に伸びるように接続される。計器用変圧器１８は、  スイッチギヤ１０３の内部に配置され、スイッチギヤ１０３の例えば据付面に配置される。または、スイッチギヤ１０３への浸水等を考慮し、据付面から上方へ浮かせた位置に配置してもよい。スイッチギヤ１０３を既設の変電設備へ据え付ける場合に、床下にケーブル用ダクトを設けられない場合や、大型ビル等で天井側に主回路ケーブルを引き回す必要がある場合等、図３に示すように主回路ケーブル１７３をスイッチギヤ１０３上面から引き出す構造が有用である。
【実施例３】
【００２０】
図４及び図５は、実施例３のスイッチギヤにおける主要機器の構成図（１）及び（２）である。本実施例３について、図４および図５を用いて説明する。
主に、主回路ケーブル１７と計器用変圧器用ケーブル１９４の引き出し方向に関して、図４に示すスイッチギヤ１０４は、実施例１に示したスイッチギヤ１０と同様の構成となっている。同様に、図５に示すスイッチギヤ１０５は、実施例２に示したスイッチギヤ１０３と同様の構成となっている。図４に示す計器用変圧器用ケーブル１９４と、図５に示す計器用変圧器用ケーブル１９５の長さが同一になるように、図４に示すスイッチギヤ１０４および図５に示すスイッチギヤ１０５は、スイッチギヤの筐体の高さ、または開閉器ユニット（モールドユニット１２、操作機構部１３、操作器１１）の高さ位置、または計器用変圧器１８の高さ位置が定められている。
【００２１】
このように、計器用変圧器用ケーブル１９４の長さを予め定めることにより、計器用変圧器用ケーブル１９４をケーブル接続用ブッシング１５から垂直上方向に引き延ばす場合は、計器用変圧器１８がスイッチギヤ１０３の上方に配置され、逆に、計器用変圧器用ケーブル１９４をケーブル接続用ブッシング１５から垂直下方向に引き延ばす場合は、計器用変圧器１８がスイッチギヤ１０３の内部に配置されるように、ケーブルの引き込み配置に汎用性を持たせることができる。
【実施例４】
【００２２】
図６は、実施例４のスイッチギヤにおける主要機器の構成図である。
本実施例４について、図６を用いて説明する。図６に示すスイッチギヤ１０６は、実施例１における主回路ケーブル１７と計器用変圧器用ケーブル１９の取り付け手順を入れ替えたスイッチギヤである。主回路ケーブルアダプタ３１６と計器用変圧器用ケーブルアダプタ３２６を同一の形状にすることで、図６に示す構成が実現できる。実施例１では、計器用変圧器用ケーブル１９をケーブル接続用ブッシング１５に接続した後で主回路ケーブル１７を接続する。本実施例４では、主回路ケーブル１７６をケーブル接続用ブッシング１５に接続した後、計器用変圧器用ケーブル１９６を接続することができ、主回路ケーブルおよび計器用変圧器の取り付け作業順序に互換性をもたせることができる。
【実施例５】
【００２３】
図７は、実施例５のスイッチギヤにおける主要機器の構成図である。
本実施例５について、図７を用いて説明する。図７に示すスイッチギヤ１０７は、実施例２における主回路ケーブル１７２と計器用変圧器用ケーブル１９２の取り付け手順を入れ替えたスイッチギヤである。主回路ケーブルアダプタ３１７と計器用変圧器用ケーブルアダプタ３２７を同一の形状にすることで、図６に示す構成が実現できる。実施例２では、計器用変圧器用ケーブル１９２をケーブル接続用ブッシング１５に接続した後、主回路ケーブル１７２を接続する。本実施例６では、主回路ケーブル１７７をケーブル接続用ブッシング１５に接続した後、計器用変圧器用ケーブル１９７を接続することができ、主回路ケーブルおよび計器用変圧器の取り付け作業順序に互換性をもたせることができる。
【００２４】
［配電システム］
上述のようなスイッチギヤを用いて配電システムを構成することができる。その際、配電システムとしては、例えば、上述のようなスイッチギヤを複数並べて、母線により、各々のスイッチギヤの母線接続用ブッシング同士を接続してスイッチギヤを設置するようにしてもよい。また、母線は、母線導体が固体絶縁物によって絶縁され、固体絶縁物の外表面には接地層が設けられた固体絶縁母線を用いることができ、さらに、主回路ケーブル及び計器用変圧器用ケーブルは、外表面に接地層を設けたケーブルを用いることができる。
【００２５】
［付記］
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００２６】
１０：スイッチギヤ
１１：操作器
１２：モールドユニット
１３：操作機構部
１４：母線接続用ブッシング
１５：ケーブル接続用ブッシング
１６：母線
１７：主回路ケーブル
１８：計器用変圧器
１９：計器用変圧器用ケーブル
２０：母線室
２１：遮断部
２２：断路部
２３：接地開閉部
２４：母線接続用導体
２５：ケーブル接続用導体
２６：樹脂
３１：主回路ケーブルアダプタ
３２：計器用変圧器用ケーブルアダプタ
３３：母線導体
３４：固体絶縁物
３５：接地層
１０３：スイッチギヤ
１０４：スイッチギヤ
１０５：スイッチギヤ
１０６：スイッチギヤ
１０７：スイッチギヤ
１７３：主回路ケーブル
１７６：主回路ケーブル
１９３：計器用変圧器用ケーブル
１９４：計器用変圧器用ケーブル
１９５：計器用変圧器用ケーブル
１９６：計器用変圧器用ケーブル
１９７：計器用変圧器用ケーブル
３１６：主回路ケーブルアダプタ
３１７：主回路ケーブルアダプタ
３２６：計器用変圧器用ケーブルアダプタ
３２７：計器用変圧器用ケーブルアダプタ
【図１】
0006615585.tif 000002
【図２】
0006615585.tif 000003
【図３】
0006615585.tif 000004
【図４】
0006615585.tif 000005
【図５】
0006615585.tif 000006
【図６】
0006615585.tif 000007
【図７】
0006615585.tif 000008
【図８】
0006615585.tif 000009